(57)【要約】【課題】低コストで成形可能で且つ軽量化も図れる昇降装置及び天井吊り下げ装置の提供を目的とする。【解決手段】天井配設機器を昇降する駆動手段が取り付けられる樹脂製のベースと、前記ベースを下方から覆い且つ当該ベースよりも耐熱性の高い補強部材と、前記補強部材を天井に取り付ける取付手段と、を備えることを特徴とする。【選択図】図２
2009154998.tif 000002
【特許請求の範囲】
【請求項１】
天井配設機器を昇降する駆動手段が取り付けられる樹脂製のベースと、
前記ベースを下方から覆い且つ当該ベースよりも耐熱性の高い補強部材と、
前記補強部材を天井に取り付ける取付手段と、
を備えることを特徴とする昇降装置。
【請求項２】
前記補強部材は、金属で構成されていることを特徴とする請求項１記載の昇降装置。
【請求項３】
前記補強部材は、網目状の金属線で構成されていることを特徴とする請求項２記載の昇降装置。
【請求項４】
前記補強部材は、金属線を樹脂内に一体にインサート成形してなることを特徴とする請求項１記載の昇降装置。
【請求項５】
請求項１〜４のいづれか１項記載の昇降装置と、前記昇降装置により昇降される前記天井配設機器と、を備えることを特徴とする天井吊り下げ装置。
【発明の詳細な説明】
【技術分野】
【０００１】
本発明は、天井に配設される天井配設機器（例えば、照明器具、スピーカー、空調機器）を電動で昇降させることのできる昇降装置及び天井吊り下げ装置に関する。
【背景技術】
【０００２】
各種の店舗やオフィスビルでは、照明器具を始めとした様々な機器が天井に配設され利用されているが、近年では、この天井に配設された天井配設機器を電動で天井から床へと下降させることのできる昇降装置を備えた天井吊り下げ装置が多用されている（例えば特許文献１参照）。
【０００３】
この天井吊り下げ装置では、昇降装置を駆動して天井配設機器を天井から床へと降下させることで、当該天井配設機器をメンテナンスできるという利点がある。
【０００４】
昇降装置は、略ハウジング形状で、天井配設機器に連結されるワイヤーを巻き取るためのモータなどを備えた駆動手段と、駆動手段を支持するベースと、ベースを天井に取り付けるための取付手段と、を備えて構成されており、駆動手段が取り付けられたベースの側壁と取付手段の側壁とがボルトによって固定されると共に、当該取付手段のアームによって天井に連結されるようになっている。
【０００５】
そして、この駆動手段が取り付けられるベースは、天井で使用されることを前提としているため、安全面を考慮して比較的強度が強いと共に、火事などの事情に対応できるように熱的にも優れた構造にすることが必要である。
【０００６】
そのため、従来の昇降装置は、駆動手段を保持するベースとして、板金製やダイキャスト製といった金属部材が用いられていた。
【特許文献１】特開２００２−１０４７７９号公報
【発明の開示】
【発明が解決しようとする課題】
【０００７】
しかしながら、昇降装置のベースは、駆動手段が取り付けられる場所でもあるため、複雑な構造にせざるを得なく、板金製やダイキャスト製といった金属部材でベースを成形するとなるとコストは必然的に高くなってしまっていた。
【０００８】
また、駆動手段をベースに取り付ける際には、取付金具を用いてベースに確実に固定しなければならないため、取付金具とベースとで金属部材が嵩んでしまい重量が重くなってしまうという問題点があった。
【０００９】
そこで、本発明は、低コストで成形可能で且つ軽量化も図れる昇降装置及び天井吊り下げ装置の提供を目的とする。
【課題を解決するための手段】
【００１０】
請求項１記載の発明は、天井配設機器を昇降する駆動手段が取り付けられる樹脂製のベースと、前記ベースを下方から覆い且つ当該ベースよりも耐熱性の高い補強部材と、前記補強部材を天井に取り付ける取付手段と、を備えることを特徴とする。
【００１１】
請求項２記載の発明は、請求項１記載の昇降装置であって、前記補強部材は、金属で構成されていることを特徴とする。
【００１２】
請求項３記載の発明は、請求項２記載の昇降装置であって、前記補強部材は、網目状の金属線で構成されていることを特徴とする。
【００１３】
請求項４記載の発明は、請求項１記載の昇降装置であって、前記補強部材は、金属線を樹脂内に一体にインサート成形してなることを特徴とする。
【００１４】
請求項５記載の天井吊り下げ装置の発明は、請求項１〜４のいずれか１項記載の昇降装置と、前記昇降装置により昇降される前記天井配設機器と、を備えることを特徴とする。
【発明の効果】
【００１５】
請求項１記載の発明によれば、駆動手段が取り付けられるベースが樹脂材で成形されているため、複雑な構造でも低コストで成形することができる。また、ベースは、当該ベースよりも耐熱性の高い補強部材により下方から覆われているため、火災が起きてベースが熱変形したとしても駆動手段が落下する恐れがない。
【００１６】
請求項２記載の発明によれば、請求項１記載の作用・効果に加え、補強部材が金属で構成されているため、昇降装置の安全性をさらに向上させることができる。
【００１７】
請求項３記載の発明によれば、請求項２記載の作用・効果に加え、補強部材が網目状に配置された金属線で構成されているため、昇降装置の軽量化を図ることができる。
【００１８】
請求項４記載の発明によれば、請求項１記載の作用・効果に加え、補強部材が金属線を樹脂内に一体にインサート成形した構造であるため、昇降装置の軽量化を図ることができると共に、網目が樹脂内に隠れるため意匠性も向上させることができる。
【００１９】
請求項５記載の発明によれば、天井配設機器とこれを昇降させる昇降装置とを備える天井吊り下げ装置において、請求項１と同様の作用効果が得られる。
【発明を実施するための最良の形態】
【００２０】
以下、本発明の昇降装置及びこれを用いた天井吊り下げ装置について、実施形態に基づいて説明する。なお、本実施形態では、天井配設機器として照明器具を用いた場合を例に挙げて説明するが、本発明では、天井配設機器として、スピーカー、空調機器やその他の機器、装置を含むものとする。
【００２１】
図１は、本実施形態における天井吊り下げ装置１の全体構成を示した図である。この天井吊り下げ装置１は、昇降装置１０を利用して建物などの高天井に配設された照明器具４０を上下に移動させることが可能な装置であり、昇降装置１０に設けられたモータ１３やドラム１４を備えた駆動手段を、例えば、屋内の壁面等に設置されたスイッチボタンと電気的に配線接続させることにより、ドラム１４を介してワイヤーロープ１７の巻き入れ、巻き出しを行うように構成されている。
【００２２】
ワイヤーロープ１７は、本実施形態ではステンレス製のワイヤーで構成されており、その下端部には、ワイヤーロープ１７により昇降される昇降部１２が連結されている。そして、この昇降部１２の下面に照明器具４０が取り付けられるようになっており、スイッチボタンによりワイヤーロープが巻き入れ、巻き出しされることで、照明器具４０がこの昇降部１２を介して上下に移動される仕組みとなっている。図１（ａ）は、照明器具４０を下降させた状態を示し、（ｂ）は、照明器具４０を上昇させた状態を示している。
【００２３】
昇降装置１０の上部には、前記駆動手段が取り付けられるベース２０を天井に取り付けるための取付手段２１が設けられている。この取付手段２１は、略箱形状に形成された下端開口部を有するハウジング２２と、略Ｕ字形状に形成され当該ハウジング２２を天井と連結するための取付アーム２３と、を備えており、このハウジング２２の下端開口部を介してベース２０及び駆動手段が収容されるようになっている。また、ハウジング２２の一対の側壁２５と取付アーム２３の両側端部とには、当該取付アーム２３をハウジング２２に取り付けるための支持孔２７ａ、２７ｂがそれぞれ形成されており、ハウジング２２の一対の側壁２５に取付アーム２３の両側端部がネジ３６によってそれぞれ固定される。そして、この取付アーム２３の天板部には、天井と連結するための取付孔１９が２個形成されており、この取付孔１９及び天井にボルトを下方から螺合させることによって、取付アーム２３が天井に固定されるようになっている。
【００２４】
このような昇降装置１０のベース２０は、前記したモータ１３やドラム１４といった駆動手段が取り付けられる場所であり、これらを駆動させるためには、図２に示すように、端子台１６などを設けた複雑な構造である。そのため、仮に、金属部材でベース２０を成形するとなると、どうしてもコスト高になってしまうと共に、駆動手段の取り付け作業性もあまり好ましいものではない。そこで、本実施形態の昇降装置１０では、このベース２０を樹脂材で成形すると共に、所定の位置に駆動手段を取り付けたベース２０を、当該ベース２０よりも耐熱性の高い補強部材３０により下方から覆わせるようにしている。
【００２５】
具体的には、ベース２０は、ＰＣ（ポリカボネート）、ＰＢＴ（ポリブチレンテレフタレート）、ＰＰＳ（ポリフェンレンサルファイド）、ＰＥＥ（ポリエステルエラストマー）などといった高強度の樹脂材で構成されている。そして、このベース２０の中央部はワイヤーロープ１７が下方に露出するために開口しており、駆動手段をこの開口付近の所定の位置に取り付けた後にケース１８によって上から固定する。また、図２に示すように、ケース１８の近傍には端子台１６が設けられており、この端子台１６へと所定の電気配線を行って、ケース１８内に取り付けられた部品へと電気的に接続されるように構成されている。なお、ベース２０の強度を増強するために、上述の樹脂内に網目状の金属線を一体にインサート成形するとより好ましいものとなる。
【００２６】
このようなベース２０には、その下方から補強部材３０が取り付けられるようになっている。図２に示す補強部材３０は、金属板５で構成されたものであり、中央部にはベース２０と同じくワイヤーロープ１７を下方に露出させるための開口部３２が設けられている。この開口部３２の周縁には一対の立設片３３が立設されており、この立設片３３がベース２０に設けられたケース１８の内壁へと嵌合される。
【００２７】
そして、補強部材３０及びベース２０の４角の端部には、当該補強部材３０をベース２０に固定するための固定孔２９ａ、２９ｂがそれぞれ設けられており、この固定孔２９ａ、２９ｂに固定ボルト３７を下方から螺合させることにより、補強部材３０がベース２０へと固定される。
【００２８】
また、補強部材３０は、取付手段２１のハウジング２２と同様に一対の側壁３５を有しており、この側壁３５には、ハウジング２２の側壁２５の支持孔２７ａに対応する位置に、補強部材３０をハウジング２２に固定するための支持孔２７ｃが設けられている。そして、これらハウジング２２の支持孔２７ｂ、補強部材３０の支持孔２７ｃ及び取付アーム２３の支持孔２７ａがネジ３６で螺合されることにより、補強部材３０が取付手段２２を介して天井に取り付けられる。
【００２９】
以上、説明してきたように、本実施形態の昇降装置１０は、駆動手段が取付られるベース２０を樹脂材で成形している。そのため、複雑な構造でも比較的低コストで成形可能となると共に、駆動手段の取り付け作業性も向上させることができる。また、ベース２０よりも耐熱性の高い補強部材３０でこのベース２０を下方から覆っているため、火災が起きてベース２０が熱変形したとしても、駆動手段が下方に落下してしまう恐れがない。
【００３０】
以下、本発明の補強部材３０の変形例について説明する。なお、以下の説明において、上記実施形態と同様の構成要素については共通の符号を付し、重複する説明を省略する。
【００３１】
（補強部材の変形例）
図３に示す補強部材３０Ａは、上記実施形態の金属板５で構成された補強部材３０に対して、金属線６を網目状に配置させたことに特徴を有するものである。このような構成とすることで、補強部材３０Ａの軽量化を図ることができる。
【００３２】
また、図４に示す補強部材３０Ｂは、上記図３に示した補強部材３０Ａに対して、網目状の金属線５２を樹脂内に一体にインサート成形した樹脂成形品５０であることに特徴を有するものである。このような構成とすることで、上記実施形態の補強部材３０に対して、軽量化を図れることはもちろんのこと、図３に示す補強部材３０Ａに比べて、網目を覆い隠すことで、外観上の見栄えも向上させることができる。なお、樹脂成形品５０を構成する樹脂については、上記実施形態のベース２０に対して耐熱性の高い樹脂を用いることが好ましいが、金属線５２をインサート成形しているため、当該ベース２０よりも耐熱性の低い樹脂を用いてもよい。
【００３３】
以上、具体的な例を挙げながら詳細に説明したように、本発明の昇降装置１０は、樹脂材で構成されたベース２０を、補強部材３０、３０Ａ、３０Ｂにより下方から覆う構成となっている。したがって、上記した補強部材３０Ａ、３０Ｂの変形例のように、本発明の昇降装置１０は様々な形態に変形が可能となり、ベース２０成形における低コスト化、取り付け作業性の向上という効果に加えて、さらに、昇降装置１０の軽量化も図ることができる。したがって、天井で利用される装置として、安全且つ軽量な設計自由度の拡大した天井吊り下げ装置１を提供することができる。
【００３４】
以上、本発明の好適な実施形態について説明したが、本発明は上記実施形態には限定されず、種々の変形が可能である。
【図面の簡単な説明】
【００３５】
【図１】本実施形態にかかる天井吊り下げ装置の全体構成を示した図であり、（ａ）は照明器具を下降させた状態を示し、（ｂ）は照明器具を上昇させた状態を示している。
【図２】本実施形態にかかる昇降装置を分解して示した斜視図である。
【図３】本実施形態にかかる補強部材の第１変形例を示した図である。
【図４】本実施形態にかかる補強部材の第２変形例を示した図である。
【符号の説明】
【００３６】
１    天井吊り下げ装置
１０  昇降装置
１３、１４  駆動手段
２０  ベース
２１  取付手段
３０  補強部材
４０  照明器具
【図１】
2009154998.tif 000003
【図２】
2009154998.tif 000004
【図３】
2009154998.tif 000005
【図４】
2009154998.tif 000006